(57)【特許請求の範囲】
【請求項１】
外部から空気を取り込み、除湿手段で除湿し、外部に排出する除湿通路と、
加熱手段で加熱された再生空気を前記除湿手段に吹き出し、前記除湿手段に吸着した水分を蒸発させて再生し、前記除湿手段を通過した再生空気をラジエータに供給して再生空気中の水分を結露させて回収する再生通路と、
外部から空気を取り込み、前記ラジエータを冷却する冷却通路とを備え、
前記ラジエータは、複数のパイプから構成され、高温の再生空気が通過する高温用ラジエータ部と、該高温用ラジエータ部を通過して折り返した後の再生空気が通過する低温用ラジエータ部とを有する除湿機であって、
空気の通過方向に対して前記除湿手段と前記ラジエータとが重なるよう配置され、前記除湿手段に対して前記ラジエータと、前記加熱手段と前記除湿手段を介して対向するロータカバーとが同じ側に配置され、前記ラジエータと前記ロータカバーとが隣接して配置されると共に、前記複数のパイプの両端に連通部を設け、該連通部内に配設した仕切り部材により、前記再生空気を少なくとも１回以上折り返し、
前記高温用ラジエータ部を冷却通路の下流側に配置し、前記低温用ラジエータ部を冷却通路の上流側に配置し、前記高温用ラジエータ部を構成するパイプの径を、前記低温用ラジエータ部を構成するパイプ径よりも太くし、
前記ラジエータの前記パイプの下端を軸心に対して傾斜するように形成し、前記パイプを固定する下板の下方に配置された弾性シートの、前記パイプの外径よりも小さく形成された貫通穴に挿通したことを特徴とする除湿機。
【発明の詳細な説明】
【技術分野】
【０００１】
本発明は、除湿ロータを再生させるために発生する高温空気を凝縮し、冷却するラジエータを備えた除湿機に関するものである。
【背景技術】
【０００２】
従来、種々のラジエータを備えた除湿機が提案されている。
【０００３】
例えば特許文献１には、被凝縮流体導入部からラジエータに取り込まれた被凝縮流体が、上下方向に設けられた被凝縮流体通過管を下方に向かって一方向に移動し、下部の排出部に到達するまでの間、除湿ファンからの送風で冷却されるラジエータを備えた除湿機が記載されている。
【０００４】
特許文献２には、上側取付板と下側取付板との間に接合されたパイプ内を再生空気が下方に流動する間に、パイプを通過する空気と熱交換を行い冷却するラジエータを備えた除湿機が記載されている。
【０００５】
しかし、いずれの特許文献に記載のラジエータを備えた除湿機でも、被凝縮流体が上部の被凝縮流体導入部から取り込まれ、下部の排出部に到達するまでの間に、被凝縮流体を冷却し凝縮させる必要があるので、被凝縮流体を十分に冷却されない場合があるという問題があった。
【先行技術文献】
【特許文献】
【０００６】
【特許文献１】特許第３９４７３０１号公報
【特許文献２】特開第２００３−３２９３７７号公報
【発明の概要】
【発明が解決しようとする課題】
【０００７】
本発明は、前記従来の問題点に鑑みてなされたもので、被凝縮流体を十分に冷却することができるラジエータを備えた除湿機を提供することを課題とする。
【課題を解決するための手段】
【０００８】
本発明は、外部から空気を取り込み、除湿手段で除湿し、外部に排出する除湿通路と、
加熱手段で加熱された再生空気を前記除湿手段に吹き出し、前記除湿手段に吸着した水分を蒸発させて再生し、前記除湿手段を通過した再生空気をラジエータに供給して再生空気中の水分を結露させて回収する再生通路と、
外部から空気を取り込み、前記ラジエータを冷却する冷却通路とを備え、
前記ラジエータは、複数のパイプから構成され、高温の再生空気が通過する高温用ラジエータ部と、該高温用ラジエータ部を通過して折り返した後の再生空気が通過する低温用ラジエータ部とを有する除湿機であって、
空気の通過方向に対して前記除湿手段と前記ラジエータとが重なるよう配置され、前記除湿手段に対して前記ラジエータと、前記加熱手段と前記除湿手段を介して対向するロータカバーとが同じ側に配置され、前記ラジエータと前記ロータカバーとが隣接して配置されると共に、前記複数のパイプの両端に連通部を設け、該連通部内に配設した仕切り部材により、前記再生空気を少なくとも１回以上折り返し、
前記高温用ラジエータ部を冷却通路の下流側に配置し、前記低温用ラジエータ部を冷却通路の上流側に配置し、前記高温用ラジエータ部を構成するパイプの径を、前記低温用ラジエータ部を構成するパイプ径よりも太くし、
前記ラジエータの前記パイプの下端を軸心に対して傾斜するように形成し、前記パイプを固定する下板の下方に配置された弾性シートの、前記パイプの外径よりも小さく形成された貫通穴に挿通したものである。
【０００９】
これにより、高温用ラジエータ部を通過し折り返した後の再生空気は低温用ラジエータ部に流入し、上流側の冷却空気と熱交換を行う。従って、高温用ラジエータ部により冷却の進んだ再生空気が上流側の冷却空気と熱交換を行うので、ラジエータ内の再生空気温度をより低下させてラジエータの冷却性能を向上させることができる。
【００１０】
上記構成により、仕切り板を設けるのみで、再生空気を少なくとも１回以上折り返すことができるので、ラジエータの構成を簡単にすることができる。また、再生空気を少なくとも１回以上折り返すことで、ラジエータ内を流動する再生空気が冷却通路の空気と熱交換をする回数を増やし、冷却性能を高めることができる。
【００１１】
上記構成により、高温用ラジエータ部を構成するパイプの断面積が大きくなるので、上方に再生空気を搬送しつつパイプ内で発生する結露水をパイプの下端まで導き、滴下することができる。
【００１２】
上記構成により、除湿手段をラジエータから加熱手段に向かって回転させると、加熱手段よりも除湿手段回転方向上流側では、外部から取り入れた空気がラジエータを介して除湿手段を通過するので、ラジエータとの熱交換により高温になった空気が除湿手段を通過する。また、加熱手段よりも除湿手段回転方向下流側では、外部から取り入れた空気が直接、除湿手段を通過する。従って、加熱手段通過前で低温の除湿手段の温度を高め、加熱手段通過後、高温となった除湿手段をより早く冷却するので除湿手段の除湿効率を向上することができる。
【００１３】
また、除湿手段を加熱手段からラジエータに向かって回転させると、除湿空気はラジエータを通過し熱交換を行い温められた後、加熱手段で加熱された後の除湿手段を通過する。よって、加熱手段で加熱された除湿手段の冷却を遅らせることができ、一定温度以下でしか空気中の水分を吸着しない除湿手段の吸着開始時間を遅らせる。従って、除湿手段への水分吸着量を減少させることで、除湿量を低減することができる。
【発明の効果】
【００１４】
本発明によれば、冷却の進んだ再生空気が上流側の冷却空気と熱交換を行うので、ラジエータ内の再生空気温度をより低下させてラジエータの冷却性能を向上することができる。
【図面の簡単な説明】
【００１５】
【図１】本発明に係る除湿機の部分破断斜視図である。
【図２】図１と反対方向から見た除湿機の部分破断斜視図である。
【図３】図１の除湿機の仕切り部材の斜視図である。
【図４】図３と反対方向から見た仕切り部材の斜視図である。
【図５】図１の除湿機に除湿ロータを取り付けた状態を示す正面図である。
【図６】図１の除湿機の再生通路を概略的に示す図である。
【図７】図３の除湿機のラジエータのＡーＡ線断面図である。
【図８】図７のラジエータの部分破断斜視図である。
【図９】図１のラジエータを除湿ロータに重ねて配置した除湿機を示す斜視図である。
【図１０】図７のラジエータの変形例を示す平面断面図である。
【図１１】（ａ）は図７のラジエータを構成するパイプの変形例を示す部分拡大断面図、（ｂ）は（ａ）の更なる変形例を示す部分拡大断面図である。
【図１２】図１１のパイプを下板に取り付ける状態を示す部分拡大断面図である。
【図１３】図１１のパイプを取り付ける下板の変形例を示す部分拡大断面図である。
【発明を実施するための形態】
【００１６】
次に、添付図面を参照して、本発明の実施形態を詳細に説明する。
【００１７】
図１に、本発明の実施形態に係る除湿機１１を示す。この除湿機１１は、本体１２の内部に、除湿通路と再生通路と冷却通路とを備える。
【００１８】
本体１２は、略直方体形状のケーシング２１の内部空間を仕切り部材４１によって前後に２分割したものである。
【００１９】
ケーシング２１は、除湿通路上流側に配設された前カバー２２と、除湿通路下流側に配設された後カバー２３と、これらの上部に配設された天カバー２４とからなる。
【００２０】
前カバー２２の前面には、除湿機１１内部に空気を取り込む複数のスリットからなる吸気口２８が形成されている。
【００２１】
図２に示すように、後カバー２３の上面には除湿機１１内部の空気を機外に排出する格子状の排気口３３が形成されている。
【００２２】
天カバー２４は略直方体形状であり、上面には、後カバー２３の排気口３３に至る凹部３６が形成されている。この凹部３６の前カバー２２側の支軸３７に回動可能に開閉板３８が取り付けられている。開閉板３８を回動させ所定の位置に配置することにより、除湿機１１内部の空気を機外に排気する方向を調節することができる。
【００２３】
仕切り部材４１には、図３および図４に示すように、円形開口部４４と、この円形開口部４４に隣接し、空気が吹き抜けるように設けられた矩形状筒部４５とが形成されている。円形開口部４４および矩形状筒部４５よりも下側には、分離壁４６が設けられており、この分離壁４６の上側には後述する熱交換部９１が配置され、分離壁４６の下側には、結露水を集水する貯水タンク１５が配置される。
【００２４】
仕切り部材４１の後側には、メインファン４７が収容されている。メインファン４７の吹き出し口４８の周囲には、吹き出された空気を排気口３３に案内するインボリュート通路４９が構成されている。
【００２５】
除湿通路は、吸気口２８から排気口３３に至る通路であり、その途中には、空気中の水分を吸着する除湿ロータ５１と、メインファン４７とが配設されている。
【００２６】
除湿ロータ５１のロータ本体５２には、ゼオライトやシリカゲルなどを結合させたセラミックハニカム状の吸着材が使用される。吸着材として例えば、耐熱温度が低い（例えば３００℃から４００℃）除湿ロータを使用する。この耐熱温度が低い除湿ロータは、２００℃から３００℃などの低温で再生する。従って、ロータ本体５２を加熱し再生する加熱手段であるヒータ６４の発熱量を下げ、除湿機１１の消費電力を低減すると共に、ヒータ６４の温度制御を適切に行うことができる。
【００２７】
また、除湿ロータ５１は仕切り部材４１の円形開口部４４に配設され、図５に示すように、２カ所に設けた回転支持部材５８によって支持され、１カ所に設けた駆動ギヤ５９ａを介して、除湿ロータ５１中心を中心に回転する。
【００２８】
回転支持部材５８は、仕切り部材４１の円形開口部４４中心よりも下側であって、除湿ロータ５１を支持するように仕切り部材４１の円形開口部４４の周縁に沿って配置されている。回転支持部材５８として、ここではロータホルダ５３と噛合し回転する歯車を採用している。ただし、回転支持部材５８は除湿ロータ５１を支持することができるのであれば、ローラであってもよい。
【００２９】
駆動ギヤ５９ａは、除湿ロータ駆動モータ５９の回転軸に固定されている。除湿ロータ駆動モータ５９は、仕切り部材４１の円形開口部４４中心よりも上側であって、除湿ロータ５１と後述するラジエータ８１との間に仕切り部材４１の円形開口部４４の周縁に沿って、配設されている。
【００３０】
メインファン４７は、公知のシロッコファンである。
【００３１】
再生通路は、除湿ロータ５１から吸着した水分を除去して再生するための通路であり、図６に示す閉ループを構成している。再生通路の途中には、ヒータユニット６１と、ラジエータ８１と、ヒータユニット６１とラジエータ８１とを連通する熱交換部９１とが設けられている。再生通路内を流動する空気を以下、再生空気という。
【００３２】
ヒータユニット６１は、図４に示すように、ユニット本体６２と、ユニット本体６２の一端に配設されたサブファン６３と、ユニット本体６２の他端に配設されたヒータ６４とから構成されている。
【００３３】
ユニット本体６２は、サブファン６３を配設するファンケース６６と、除湿ロータ５１の半径方向に沿って設けられた中空直方体形状のヒータケース６７とを備えている。
【００３４】
サブファン６３は公知のシロッコファンであり、熱交換部９１内の再生空気を吸い込み、ヒータユニット６１内に吹き出すことで、前記閉ループ内の空気を循環させる。
【００３５】
ヒータケース６７は、除湿ロータ５１の周縁から中心まで、半径方向に沿って、除湿ロータ５１の表面と対向し所定の間隔を隔てて配設されている。除湿ロータ５１の表面のうち、１/８の領域に対応する部分がヒータケース６７と対向しており、残る７/８の領域は通風可能に開口し、除湿通路内に位置している。
【００３６】
ヒータ６４は、上流側開口部７２を通過する空気を加熱して除湿ロータ５１に供給するほか、除湿ロータ５１を直接加熱する。これにより、除湿ロータ５１に吸着された水分を蒸発させることができ、除湿ロータ５１の吸着能力を回復させることが可能となっている。
【００３７】
ここでは前述の通り、除湿ロータ５１として例えば、２００℃から３００℃などの低温で再生する低温再生型除湿ロータを使用している。これにより、除湿機１１の製造コストを低減することができる。この低温再生型除湿ロータは、除湿素子の吸着スピード、吸着性能が低いため、広い吸着面積を確保する必要がある。そこで、ここで使用するヒータ６４には、ヒータの専有面積を小さくするため、放熱性能が高く、高いワット密度でも運転可能な小型ヒータであるＰＴＣヒータを使用している。
【００３８】
ＰＴＣヒータは、図示しない電源からの供給電力により発熱する。また、ＰＴＣヒータはチタン酸バリウム（ＢａＴｉ０３）を主成分とする半導体セラミックからなり、ヒータ自身の温度が上がれば抵抗値を大きくして、発熱量を抑制する。このため、ＰＴＣヒータは高温になることがなく、耐熱性の低い前記低温再生型除湿ロータを使用することができる。
【００３９】
ラジエータ８１は、図７に示すように、ヒータ６４からの熱が流入する高温用ラジエータ部である第１ラジエータ部８２と、この第１ラジエータ部８２で一旦、冷却された再生空気が流入する低温用ラジエータ部である第２ラジエータ部８３と、この２つのラジエータ部８２、８３の上端を密封し連通する連通部である蓋体８４とで構成されている。また、ラジエータ８１は本体１２の矩形状筒部４５に取り付けられている。
【００４０】
各ラジエータ部８２、８３は、ポリエチレン、ポリプロピレンなどの合成樹脂材料からなる複数のパイプ８５（８５ａ、８５ｂ）から構成されている。第１ラジエータ部８２は径の太いパイプ８５ａから構成され、第２ラジエータ部８３は径の細いパイプ８５ｂから構成されている。図８に示すように、これら複数のパイプ８５は、上端が１枚の平板形状の上板８６に、下端が１枚の平板形状の下板８７に溶着されることで、一体となりラジエータ８１を構成している。第１ラジエータ部８２の下端は、後述する熱交換部９１の高温空気流動通路１０５と連通し、第２ラジエータ部８３の下端は、後述する熱交換部９１の低温空気流動通路１０６と連通している。また、蓋体８４は、一面が開口した中空の直方体であり、上板８６にネジ止めされている。従って、ラジエータ８１内の再生空気は、高温空気流動通路１０５から、上方に再生空気を搬送する第１ラジエータ部８２を通過し、蓋体８４で折り返され、下方に再生空気を搬送する第２ラジエータ部８３に流入して搬送され、低温空気流動通路１０６まで至る。
【００４１】
図３に示すように、熱交換部９１は中空のタンク状のものであり、本体１２の除湿ロータ５１およびラジエータ８１の下方であって、分離壁４６よりも上側に取り付けられている。熱交換部９１の内部は、側壁１０３と同一形状の隔壁１０４により、ヒータ６４から除湿ロータ５１を通過した高温の空気をラジエータ８１まで搬送する高温空気流動通路１０５と、ラジエータ８１で冷却された低温の空気を加熱ユニット６４まで搬送する低温空気流動通路１０６とに分割されている。この隔壁１０４は熱伝導率の高い金属製であり、例えばアルミニウムからなっている。
【００４２】
高温空気流動通路１０５の一方の端部は、ヒータケース６７と除湿ロータ５１を介して対向し、除湿ロータ５１の表面領域から退避するように伸びるロータカバー１１１と連通し、他方の端部は、第１水平面９４を介して第１ラジエータ部８２と連通している。従って、高温の再生空気は高温空気流動通路１０５内を、図３中の矢印の方向に搬送される。
【００４３】
低温空気流動通路１０６の一方の端部は、第２ラジエータ部８３と連通し、他方の端部は、ヒータユニット６１と連通している。従って、低温の再生空気は低温空気流動通路１０６内を、図３中の矢印の方向に搬送される。
【００４４】
また、ラジエータ８１で生じた結露水は熱交換部９１の底面に滴下し、該底面の傾斜によりその自重で排水口９９（図６参照）に向かい、排水される。
【００４５】
次に、本実施形態に係る除湿機１１の除湿動作について具体的に説明する。
【００４６】
メインファン４７の駆動により、吸気口２８から吸い込まれる周囲の空気は、除湿通路である除湿ロータ５１側とラジエータ８１側に向かって流れる。
【００４７】
除湿通路では、吸気口２８から吸い込まれた空気が除湿ロータ５１を通過する際に、含有した水分が吸着される。これにより、乾燥した空気がインボリュート通路４９を流動し、後カバー２３の排気口３３から室内に排出される。
【００４８】
ラジエータ８１では、前記と同様に吸気口２８から吸い込まれた空気が、第１ラジエータ部８２、第２ラジエータ部８３を通過し、これらのラジエータ８１内を流動する再生空気と熱交換を行い、再生空気を冷却する。メインファン４７に吸い込まれ、ラジエータ８１を通過する空気を以下、冷却空気、およびこの冷却空気が通過する通路を冷却通路という。
【００４９】
再生通路では、サブファン６３の駆動によりヒータケース６７に流入した再生空気は、ヒータケース６７内のヒータ６４で加熱された後、除湿ロータ５１を通過する。
【００５０】
高温の再生空気は除湿ロータ５１を通過する際に、除湿ロータ５１に吸着した水分を加熱し蒸発させる。除湿ロータ５１を通過した再生空気は、ロータカバー１１１を鉛直下方に移動し、高温空気流動通路１０５を介して第１ラジエータ部８２に流入する。
【００５１】
第１ラジエータ部８２に流入した再生空気は、パイプ８５ａ内を上方に向かって搬送される。再生空気が第１ラジエータ部８２を通過する際、ラジエータ８１を通過する冷却空気との温度差による熱交換で再生空気は冷却され、再生空気の含有している水分が結露する。この結露水が、ラジエータ８１から熱交換部９１の底面に滴下し、排水口９９まで流れて貯水タンク１５に回収される。また、第１ラジエータ部８２を構成するパイプ８５ａの径が大きい、すなわちパイプ８５ａの断面積が大きくなるので、上方に再生空気を搬送しつつパイプ８５ａ内で発生する結露水を、パイプ８５ａの下端まで導き、排水することができる。
【００５２】
第１ラジエータ部８２から流出した再生空気は、蓋体８４で折り返し第２ラジエータ部８３に流入し、上流側の冷却空気と熱交換を行う。具体的には、第２ラジエータ部８３内の再生空気、つまり、冷却の進んだ再生空気が上流側の冷却空気と熱交換を行うので、ラジエータ８１内の再生空気温度をより低下させてラジエータ８１の冷却性能を向上させることができる。
【００５３】
第２ラジエータ部８３から流出し、低温空気流動通路１０６内に流入した再生空気は、サブファン６３によりヒータケース６７に向かって再び供給される。
【００５４】
本発明は前記実施形態に限定されず、種々の変形が可能である。
【００５５】
ラジエータ８１に関しては、図９に示すように、除湿ロータ５１の表面の一部と重なるように設置してもよい。具体的には、ラジエータ８１はロータカバー１１１と隣接するように設置され、除湿ロータ５１表面の略半分と重なっている。
【００５６】
これにより、除湿ロータ５１を矢印Ｂ方向に回転すると、ヒータ６４よりも除湿ロータ５１回転方向上流側では、吸気口２８から取り入れた空気がラジエータ８１を介して除湿ロータ５１を通過するので、ラジエータ８１との熱交換により高温になった空気が除湿ロータ５１を通過する。また、ヒータ６４よりも除湿ロータ５１回転方向下流側では、吸気口２８から取り入れた空気が直接、除湿ロータ５１を通過する。従って、ヒータ６４通過前で低温の除湿ロータ５１の温度を高め、ヒータ６４通過後、高温となった除湿ロータ５１をより早く冷却するので除湿ロータ５１の除湿効率を向上することができる。
【００５７】
また、除湿ロータ５１を矢印Ｃ方向に回転すると、除湿空気はラジエータ８１を通過し熱交換を行い温められた後、ヒータ６４で加熱された後の除湿ロータ５１を通過する。よって、ヒータ６４で加熱された除湿ロータ５１の冷却を遅らせることができ、一定温度以下でしか空気中の水分を吸着しない除湿ロータ５１の吸着開始時間を遅らせる。従って、除湿ロータ５１への水分吸着量を減少させることで、意図的に除湿量を低減することができる。
【００５８】
以上の構成により、除湿ロータ５１の回転方向を変更するのみで、除湿量を低減させる、または除湿効率を向上するかを選択することができるため、ヒータ６４を多段階に切り替える必要がなくなり、部品点数を減少することができる。また、除湿量を低減すると、ラジエータ８１で生じる結露水の量が減少し、再生空気に付与される蒸発潜熱が減少するので、ラジエータ出口の温度上昇を低減することができる。
【００５９】
次に、図１０に示すように、ラジエータ８１を４つのラジエータ部１２１（１２２、１２３、１２４、１２５）で構成することも可能である。このラジエータ８１は、４つのラジエータ部１２１と、４つのラジエータ部１２１の上端を密封し連通する蓋体１２６と、４つのラジエータ部１２１の下端を密封し連通する底体１２７と、長方形状の平板である仕切り板１２８とからなる。
【００６０】
蓋体１２６の上面１３１およびラジエータ部１２１の上板８６には、対向するように第２ラジエータ部１２３と第３ラジエータ部１２４との間に仕切り用凹条１３２が設けられている。蓋体１２６内部は、仕切り用凹条１３２に仕切り板１２８をはめ込むことにより、第１上側通路１３３と第２上側通路１３４とに区切られている。
【００６１】
底体１２７は、４つのラジエータ部１２１の下端を密封し連通するように、下板８７にネジ止めされている。底体１２７の下面１３５および下板８７には、蓋体１２６と同様に対向するように第１ラジエータ部１２２と第２ラジエータ部１２３の間、第３ラジエータ部１２４と第４ラジエータ部１２５の間に仕切り用凹条１３２が設けられている。底体１２７内部は仕切り用凹条１３２に仕切り板１２８をはめ込むことにより、高温空気流動通路１０５と連通する第１下側通路１３６と、第２ラジエータ部１２３および第３ラジエータ部１２４の下端を連通する第２下側通路１３７と、低温空気流動経路１０６と連通する第３下側通路１３８とに区切られている。
【００６２】
ラジエータ８１内の再生空気は、第１下側通路１３６から、上方に再生空気を案内する第１ラジエータ部１２２を通過し、第１上側通路１３３で折り返され、下方に再生空気を案内する第２ラジエータ部１２３に流入する。そして、第２ラジエータ部１２３の下端から流出した再生空気は、第２下側通路１３７で折り返され、上方に再生空気を案内する第３ラジエータ部１２４に流入する。次いで、第３ラジエータ部１２４から流出した再生空気は、第２上側通路１３４で折り返され、下方に再生空気を案内する第４ラジエータ部１２５を流動して、第３下側通路１３８まで至る。これにより、再生空気を３回折り返すことで、ラジエータ８１内を流動する再生空気が冷却空気と熱交換をする回数を増やし、冷却性能を高めることができる。
【００６３】
また、仕切り板１２８を設けるのみで、複数のラジエータ部１２１内に再生空気を折り返し循環させることができるので、ラジエータ８１の構成を簡単にすることができる。
【００６４】
前記実施形態では、パイプ８５の下端は軸心と直角に形成されているが、図１１に示すように、パイプ１３９の下端を鋭角な切り込みやＶ字型など、軸心に対して傾斜するように形成してもよい。これにより、パイプ１３９の下端では、結露水とパイプ１３９内周面との接触面積が小さくなるので、パイプ１３９下端から結露水が滴下しやすくなる。
【００６５】
この場合、パイプ１３９の下端を下板８７に溶着することができない。よって、図１２に示すように、パイプ１３９の下端を、パイプ１３９外径よりも小さく形成されたシリコンゴムなどの弾性シート１４１の貫通穴１４２に挿通することで、ラジエータ部１２１を下板８７に気密性を高めながら固定する構成も採用し得る。
【００６６】
また、図１３に示すように、パイプ１３９の下端部に密着する下板８７の厚さＬを厚くすることで、パイプ１３９と下板８７の貫通穴１４２との隙間の圧損を増大させ、空気の漏れを防止することにより、ラジエータ８１内の気密性を高める構成も採用し得る。
【００６７】
更に、パイプ１３９の材質として、ポリプロピレンを使用すれば撥水効果を得ることができる。そして、シリコン系の撥水剤やフッ素系の撥水剤を添加する、またはパイプ１３９の内周面に塗布すれば、更に高い撥水効果を得ることができる。例えば、シリコン系添加剤を５％添加した場合、内周面に付着した結露水の自重落下径を約３０％小さくすることができる。これにより、パイプ１３９内周面と結露水の水滴との接触面積は小さくなり、内周面と水滴との間に働く表面張力も小さくなるため、結露水の水滴の径が小さい段階でパイプ１３９の下方へ落下を開始する。従って、パイプ１３９の内周面積に占める結露水の水滴の面積が小さくなるので、再生空気はパイプ１３９内を通過し易くなる。パイプ１３９内を結露水が落下しやすくなるので、パイプ１３９の下端で結露水により水膜が生じ滞留することで再生空気の通過を阻止し、その結果、再生空気の減少による除湿能力の低下を防止することができる。
【００６８】
他の例として、パイプ１３９の内周面に例えば、フッ素系の親水剤を塗布することにより、パイプ１３９の内周面に親水効果を持たせることで、パイプ１３９内を結露水が落下しやすくなる。
【符号の説明】
【００６９】
１１  除湿機
５１  除湿ロータ（除湿手段）
６４  ヒータ（加熱手段）
８１  ラジエータ
８２  第１ラジエータ部（高温用ラジエータ部）
８３  第２ラジエータ部（低温用ラジエータ部）
８４  蓋体（連通部）
８５  パイプ
１２２  第１ラジエータ部（高温用ラジエータ部）
１２５  第４ラジエータ部（低温用ラジエータ部）
１２６  蓋体（連通部）
１２７  底体（連通部）
１２８  仕切り板(仕切り部材)
１３９  パイプ
【図１】
0005502390.tif 000002
【図２】
0005502390.tif 000003
【図３】
0005502390.tif 000004
【図４】
0005502390.tif 000005
【図５】
0005502390.tif 000006
【図６】
0005502390.tif 000007
【図７】
0005502390.tif 000008
【図８】
0005502390.tif 000009
【図９】
0005502390.tif 000010
【図１０】
0005502390.tif 000011
【図１１】
0005502390.tif 000012
【図１２】
0005502390.tif 000013
【図１３】
0005502390.tif 000014